(57)【要約】【課題】矯正パッドにおいて、長時間にわたって仙腸関節を圧迫し易くする。【解決手段】矯正パッド１は、仙腸関節Ｃを矯正するための矯正パッド１であって、可撓性を有する本体部１１と、本体部１１における一端側に形成された第１凸部１２と、を有し、本体部１１の長手方向における第１凸部１２が形成されていない領域の長さが、第１凸部１２が形成されている領域の長さよりも大きい。また、本体部１１において第１凸部１２が形成された領域の第１凸部１２の長手方向における長さが、第１凸部１２の長手方向の長さよりも大きい。【選択図】図３
2020092903.tif 000002
【特許請求の範囲】
【請求項１】
仙腸関節を矯正するための矯正パッドであって、
可撓性を有する本体部と、
前記本体部における一端側に形成された第１凸部と、
を有し、
前記本体部の長手方向における前記第１凸部が形成されていない領域の長さが、前記第１凸部が形成されている領域の長さよりも大きい矯正パッド。
【請求項２】
前記本体部において前記第１凸部が形成された領域の前記第１凸部の長手方向における長さが、前記第１凸部の長手方向の長さよりも大きい、
請求項１に記載の矯正パッド。
【請求項３】
前記本体部における前記第１凸部が形成された領域は、外力が加えられていない状態において、前記本体部の長手方向の中心位置における前記第１凸部が形成されている側の面と反対側の面よりも前記第１凸部の側に位置している、
請求項１又は２に記載の矯正パッド。
【請求項４】
前記本体部における前記第１凸部が形成されている側と反対側に、前記第１凸部よりも厚みが小さい第２凸部が形成されている、
請求項１から３のいずれか一項に記載の矯正パッド。
【請求項５】
前記第２凸部は、一定の厚みの前記本体部が、前記本体部における前記第１凸部が形成されている側の面の側に曲げられることにより形成されている、
請求項４に記載の矯正パッド。
【請求項６】
前記本体部は、前記第１凸部が形成された領域と、前記第２凸部が形成された領域との間に、前記第１凸部の長手方向の長さよりも小さな幅の領域を有する、
請求項４又は５に記載の矯正パッド。
【発明の詳細な説明】
【技術分野】
【０００１】
本発明は、仙腸関節を矯正するための矯正パッドに関する。
【背景技術】
【０００２】
従来、仙腸関節を矯正するための装置が知られている。特許文献１には、仙骨と腸骨とを繋ぐ仙腸関節を正しい位置に矯正するための仙腸関節矯正装置が開示されている。
【先行技術文献】
【特許文献】
【０００３】
【特許文献１】特開２０１７−１９２５１１号公報
【発明の概要】
【発明が解決しようとする課題】
【０００４】
使用者は、特許文献１に開示された仙腸関節矯正装置を用いて仙腸関節を矯正する場合、床部に仰臥した状態で行う必要があった。したがって、従来の仙腸関節矯正装置は、人体の適切な位置において長時間にわたって仙腸関節を圧迫しづらいという問題が生じていた。
【０００５】
そこで、本発明はこれらの点に鑑みてなされたものであり、長時間にわたって仙腸関節を圧迫し易い矯正パッドを提供することを目的とする。
【課題を解決するための手段】
【０００６】
本発明の第１の態様においては、仙腸関節を矯正するための矯正パッドであって、可撓性を有する本体部と、前記本体部における一端側に形成された第１凸部と、を有し、前記本体部の長手方向における前記第１凸部が形成されていない領域の長さが、前記第１凸部が形成されている領域の長さよりも大きい矯正パッドを提供する。
【０００７】
また、前記本体部において前記第１凸部が形成された領域の前記第１凸部の長手方向における長さが、前記第１凸部の長手方向の長さよりも大きくてもよい。また、前記本体部における前記第１凸部が形成された領域は、外力が加えられていない状態において、前記本体部の長手方向の中心位置における前記第１凸部が形成されている側の面と反対側の面よりも前記第１凸部の側に位置していてもよい。
【０００８】
また、前記本体部における前記第１凸部が形成されている側と反対側に、前記第１凸部よりも厚みが小さい第２凸部が形成されていてもよい。また、前記第２凸部は、一定の厚みの前記本体部が、前記本体部における前記第１凸部が形成されている側の面の側に曲げられることにより形成されていてもよい。
【０００９】
また、前記本体部は、前記第１凸部が形成された領域と、前記第２凸部が形成された領域との間に、前記第１凸部の長手方向の長さよりも小さな幅の領域を有していてもよい。
【発明の効果】
【００１０】
本発明によれば、矯正パッドが、長時間にわたって仙腸関節を圧迫し易くなるという効果を奏する。
【図面の簡単な説明】
【００１１】
【図１】仙腸関節の位置を示す。
【図２】本実施形態に係る矯正パッドが人体に装着されている状態の一例を示す。
【図３】本実施形態に係る矯正パッドの構造を示す。
【図４】本実施形態に係る矯正パッドの正面図である。
【図５】本実施形態に係る矯正パッドの背面図である。
【図６】本実施形態に係る矯正パッドの右側面図である。
【図７】本実施形態に係る矯正パッドの左側面図である。
【図８】本実施形態に係る矯正パッドの平面図である。
【図９】本実施形態に係る矯正パッドの底面図である。
【発明を実施するための形態】
【００１２】
［本実施形態に係る矯正パッド１の概要］
図１は、仙腸関節Ｃの位置を示す図である。なお、図１は、人体を背面側から見たときの仙腸関節Ｃ付近の骨格を示す図である。図２は、本実施形態に係る矯正パッド１が人体に装着されている状態の一例を示す図である。
【００１３】
図１に示すように、仙腸関節Ｃは、仙骨Ａと腸骨Ｂとを繋ぐ関節である。仙骨Ａは、脊椎の下部に位置する略逆三角形状の骨である。仙骨Ａの大きさは、例えば、成人では、５０ｍｍ〜６０ｍｍである。腸骨Ｂは、腰帯を構成する骨の一つである。腸骨Ｂは、人体の幅方向において、仙骨Ａの両側に位置する。仙腸関節Ｃとして、仙骨Ａと左側の腸骨Ｂとを繋ぐ関節と、仙骨Ａと右側の腸骨Ｂとを繋ぐ関節とがある。
【００１４】
関節の中には、多数の神経が入り込んでいる。仙腸関節Ｃがずれて、噛み合わせが悪くなった状態で仙腸関節Ｃに負荷がかかると、神経は痛みの信号を脳に伝える。仙腸関節障害は、例えば、仙腸関節Ｃに痛みが生じる状態が含まれる。
【００１５】
仙腸関節障害のパターンとして、例えば、ニューテーション型、カウンターニューテーション型、及び不安定型がある。ニューテーション型の仙腸関節障害の原因は、仙骨Ａが腸骨Ｂに対して前に倒れた状態でずれが生じることである。ニューテーション型の仙腸関節障害は、例えば、腰を必要以上に反らしてしまう「反り腰」で生活している人に起こり易い。ニューテーション型の仙腸関節障害に対しては、例えば、徒手による障害改善方法として、一方の手で上方から仙骨Ａを押し下げるように力を加え、他方の手で腸骨Ｂを前方に向かって回旋させるように誘導する方法がある。
【００１６】
カウンターニューテーション型の仙腸関節障害の原因は、仙骨Ａが腸骨Ｂに対して後ろに倒れた状態でずれが生じることである。カウンターニューテーション型の仙腸関節障害は、例えば、背中が丸まっている「前屈姿勢」で生活している人に起こり易い。カウンターニューテーション型の仙腸関節障害に対しては、例えば、徒手による障害改善方法として、一方の手で下方から仙骨Ａを押し上げるように力を加え、他方の手で腸骨Ｂを後方に向かって回旋させるように誘導する方法がある。
【００１７】
不安定型の仙腸関節障害の原因は、例えば、仙腸関節Ｃが不安定になっているために、ずれが生じ易いことである。不安定型の仙腸関節障害は、例えば、生理や妊娠などの、腸骨Ｂの開閉が行われるタイミングで起こり易い。不安定型の仙腸関節障害に対しては、例えば、徒手による障害改善方法として、両手で左右の腸骨Ｂを両側から圧迫することで、仙腸関節Ｃの安定性を高める方法がある。
【００１８】
図２に示す矯正パッド１は、仙腸関節Ｃを矯正するための器具である。図２に示すように、本実施形態に係る矯正パッド１は、例えば、人体の仙骨Ａ又は仙腸関節Ｃに相当する腰Ｄに当接した状態で、外側からサポーターＥによって巻き付けられることで、仙骨Ａ又は仙腸関節Ｃ付近に向かって背面側から押し当てられる。この結果、本実施形態に係る矯正パッド１は、例えば、腰Ｄに当接した状態で、サポーターＥで巻き付けられることで、仙骨Ａ又は仙腸関節Ｃ付近を背面側から押圧する。
【００１９】
矯正パッド１は、例えば、弾性を有し、滑りづらい性質を有する材質で製造されている。具体的には、矯正パッド１は、例えば、ナイロン（ＰＡ：Ｐｏｌｙａｍｉｄｅ）、又はエラストマー（ＴＰＥ：Ｔｈｅｒｍｏ  Ｐｌａｓｔｉｃ  Ｅｌａｓｔｏｍｅｒ）で製造されている。
【００２０】
［矯正パッド１の構造］
図３は、本実施形態に係る矯正パッド１の構造を示す図である。図４は、本実施形態に係る矯正パッド１の正面図である。図５は、本実施形態に係る矯正パッド１の背面図である。図６は、本実施形態に係る矯正パッド１の右側面図である。図７は、本実施形態に係る矯正パッド１の左側面図である。図８は、本実施形態に係る矯正パッド１の平面図である。図９は、本実施形態に係る矯正パッド１の底面図である。
【００２１】
矯正パッド１は、本体部１１、第１凸部１２、及び第２凸部１３を有する。本体部１１は、例えば、板状の部材である。本体部１１は、可撓性を有する。本体部１１は、例えば、矯正パッド１が人体の腰Ｄに装着された状態において、仙骨Ａにフィットするように、仙骨Ａの大きさよりも若干大きい。
【００２２】
第１凸部１２は、例えば、曲面形状を有する。第１凸部１２は、本体部１１における一端側に形成されている。第１凸部１２は、矯正パッド１が人体の腰Ｄに装着された状態で、例えば、腰Ｄにおける仙骨Ａ又は仙腸関節Ｃに相当する位置に当接する。
【００２３】
本体部１１の長手方向における第１凸部１２が形成されていない領域の長さは、第１凸部１２が形成されている領域の長さよりも大きい。本体部１１における第１凸部１２が形成されている領域とは、第１凸部１２の表面が本体部１１と交わる長円状の曲線で囲まれた領域である。言い換えれば、当該領域は、本体部１１における第１凸部１２の本体部１１側の面が接している面を含む部位である。図４に示すように、本体部１１の長手方向における第１凸部１２が形成されていない領域の長さはＬ２である。また、本体部１１の長手方向における第１凸部１２が形成されている領域の長さはＬ１である。
【００２４】
よって、矯正パッド１は、第１凸部１２を人体の仙骨Ａ又は仙腸関節Ｃに相当する腰Ｄに当接させた状態で、例えば、本体部１１における第１凸部１２が形成されていない領域を腰Ｄに当接させることができる。
【００２５】
また、ユーザが、矯正パッド１を用いることで、例えばサポーターＥを巻き付けて矯正パッド１を仙骨Ａ又は仙腸関節Ｃに向かって押し当てる際に、本体部１１における第１凸部１２が形成されている領域に加えて、第１凸部１２が形成されていない領域にもサポーターＥを巻き付けることができる。この結果、例えば、矯正パッド１は、第１凸部１２が人体の仙骨Ａ又は仙腸関節Ｃに相当する腰Ｄに当接した状態でサポーターＥが巻き付けられた場合に、腰Ｄからずれづらくなる。
【００２６】
本体部１１において第１凸部１２が形成された領域の第１凸部１２の長手方向における長さは、第１凸部１２の長手方向の長さよりも大きい。よって、矯正パッド１は、第１凸部１２を人体の仙骨Ａ又は仙腸関節Ｃに相当する腰Ｄに当接させた状態で、例えば、本体部１１の第１凸部１２が形成されていない領域を腰Ｄに当接させることができる。また、ユーザが、矯正パッド１を用いることで、例えばサポーターＥを巻き付けて矯正パッド１を仙骨Ａ又は仙腸関節Ｃに向かって押し当てる際に、本体部１１における第１凸部１２が形成されている領域に加えて、第１凸部１２が形成されていない領域にもサポーターＥを巻き付けることができる。
【００２７】
この結果、例えば、矯正パッド１は、第１凸部１２が人体の仙骨Ａ又は仙腸関節Ｃに相当する腰Ｄに当接した状態でサポーターＥが巻き付けられた場合に、腰Ｄからずれづらくなる。
【００２８】
本体部１１における第１凸部１２が形成された領域は、外力が加えられていない状態において、本体部１１の長手方向の中心位置における第１凸部１２が形成されている側の面と反対側の面よりも第１凸部１２の側に位置している。具体的には、図６及び図７に示すように、本体部１１は、例えば、本体部１１の長手方向における中心を挟んで両側が、本体部１１の第１凸部１２が形成されている側に向かって曲がっている弓形形状の領域を有する。第１凸部１２の先端は、本体部１１の長手方向と直交する高さ方向において、本体部１１の長手方向の中心位置よりも、本体部１１の第１凸部１２が形成されている側に位置している。
【００２９】
矯正パッド１は、このように、本体部１１における第１凸部１２が形成された領域が、外力が加えられていない状態において、本体部１１の長手方向の中心位置における第１凸部１２が形成されている側の面と反対側の面よりも第１凸部１２の側に位置している。よって、矯正パッド１は、例えば、第１凸部１２が人体の仙骨Ａ又は仙腸関節Ｃに相当する腰Ｄに当接した状態で、本体部１１にサポーターＥが巻き付けられることで仙骨Ａ又は仙腸関節Ｃを押圧し易くなる。
【００３０】
また、矯正パッド１は、このように弓形形状の領域を有する本体部１１を有することで、矯正パッド１が人体の腰Ｄに装着された状態において、本体部１１が人体の背面側に向かって突出した仙骨Ａを抑えるようにすることもできる。
【００３１】
第２凸部１３は、本体部１１における第１凸部１２が形成されている側と反対側に形成されている。具体的には、第２凸部１３は、例えば、本体部１１の長手方向において、本体部１１における第１凸部１２が形成されている側と反対側に形成されている。第２凸部１３は、第１凸部１２よりも厚みが小さい。第２凸部１３の先端は、第１凸部１２の先端よりも、本体部１１の長手方向と直交する高さ方向において、本体部１１の長手方向の中心位置に近い。
【００３２】
第２凸部１３は、例えば、図６及び図７に示すように、本体部１１の長手方向と直交する高さ方向において、本体部１１の長手方向の中心から離れる向きに向かって突出する湾曲形状の領域を有する。第２凸部１３の長手方向の長さは、例えば、本体部１１において第２凸部１３が形成された領域における第２凸部１３の長手方向における長さと同じである。
【００３３】
矯正パッド１は、前述したように本体部１１における第１凸部１２が形成されている側と反対側に、第１凸部１２よりも厚みが小さい第２凸部１３が形成されている。よって、矯正パッド１は、第１凸部１２を人体の仙骨Ａ又は仙腸関節Ｃに相当する腰Ｄに当接させた状態で、第２凸部１３を腰Ｄに当接させることができる。また、ユーザは、本体部１１における第１凸部１２が形成されている領域に加えて、第２凸部１３が形成されている領域にもサポーターＥを巻き付けることができる。
【００３４】
この結果、例えば、矯正パッド１は、第１凸部１２が人体の仙骨Ａ又は仙腸関節Ｃに相当する腰Ｄに当接した状態でサポーターＥが巻き付けられた場合に、腰Ｄからずれづらくなる。
【００３５】
第２凸部１３は、一定の厚みの本体部１１が、本体部１１における第１凸部１２が形成されている側の面の側に曲げられることにより形成されている。よって、矯正パッド１は、第２凸部１３を形成するために新たな部材を付加することなく、第２凸部１３を形成することができる。この結果、矯正パッド１は、第２凸部１３を簡易に形成することができると共に軽量化が可能である。
【００３６】
本体部１１は、第１凸部１２が形成された領域と、第２凸部１３が形成された領域との間に、第１凸部１２の長手方向の長さよりも小さな幅の領域を有する。すなわち、本体部１１は、第１凸部１２が形成された領域と、第２凸部１３が形成された領域との間に、くびれが形成されている。具体的には、図３〜図５に示すように、本体部１１の長手方向における中心において、本体部１１の長手方向と直交する短手方向における両側の縁が、当該短手方向における中心に向かって湾曲形状に凹んでいる。そして、本体部１１の短手方向における両側の縁が、短手方向における中心に向かって湾曲形状に凹んでいる領域の短手方向の長さは、第１凸部１２の長手方向の長さよりも短い。
【００３７】
矯正パッド１においては、このように、本体部１１が、第１凸部１２が形成された領域と、第２凸部１３が形成された領域との間に、第１凸部１２の長手方向の長さよりも小さな幅の領域（以下、くびれ領域という）を有する。
【００３８】
よって、矯正パッド１は、第１凸部１２を人体の仙骨Ａ又は仙腸関節Ｃに相当する腰Ｄに当接させた状態で、例えば、サポーターＥを本体部１１における第１凸部１２が形成されている領域に加えて、第１凸部１２が形成された領域と、第２凸部１３が形成された領域との間に形成されているくびれ領域にも巻き付けることができる。この結果、例えば、矯正パッド１は、第１凸部１２が人体の仙骨Ａ又は仙腸関節Ｃに相当する腰Ｄに当接した状態でサポーターＥが巻き付けられた場合に、腰Ｄからずれづらくなる。
【００３９】
また、矯正パッド１は、このように第１凸部１２が形成された領域と、第２凸部１３が形成された領域との間に形成されているくびれ領域を有することで、矯正パッド１を、例えば、コルセット又はパンツ内に固定する場合においては固定し易くなる。また、矯正パッド１は、このように第１凸部１２が形成された領域と、第２凸部１３が形成された領域との間に形成されているくびれ領域を有することで、折り曲げ易くなる。矯正パッド１は、折り曲げ易くなることで、矯正パッド１の表面を凹凸が形成されている人体の表面に当接させ易くなる。
【００４０】
［実施例］
次に、本実施形態に係る矯正パッド１を仙腸関節障害に対して使用したときの、仙腸関節障害に対する効果を示す。
表１は、仙腸関節障害に対する矯正パッド１の効果を示す。
【００４１】
【表１】
2020092903.tif 000003
【００４２】
表１に示すように、実施例１では、ニューテーション型の仙腸関節障害に対して、徒手によって障害を改善した場合、痛レベルが１０から０に減少した。痛レベルは、ユーザが感じる痛みの度合いである。また、実施例１では、ニューテーション型の仙腸関節障害に対して、コルセットを使用することで、痛レベルが１０から７に減少した。また、実施例１では、ニューテーション型の仙腸関節障害に対して、矯正パッド１を使用することで、痛レベルが１０から４に減少した。このように、実施例１では、ニューテーション型の仙腸関節障害に対して、矯正パッド１を使用することで、痛レベルが、徒手によって改善したレベルまでには減少しないものの、コルセットを使用した場合よりも減少した。
【００４３】
実施例２では、ニューテーション型の仙腸関節障害に対して、矯正パッド１を使用することで、痛レベルが１０から０に減少した。実施例３では、不安定型の仙腸関節障害に対して、矯正パッド１を使用することで、痛レベルが１０から７に減少した。実施例４では、ニューテーション型の仙腸関節障害に対して、矯正パッド１を使用することで、痛レベルが１０から３に減少した。実施例５では、ニューテーション型の仙腸関節障害に対して、矯正パッド１を使用することで、痛レベルが１０から５に減少した。このように、実施例１から実施例５において、ニューテーション型の仙腸関節障害、及び不安定型の仙腸関節障害に対して、矯正パッド１を使用することで、痛レベルが減少した。
【００４４】
表２は、本実施形態に係る矯正パッド１の装着による前屈可動域の変化を示す。
表２では、矯正パッド１を装着した場合、及び矯正パッド１を装着しない場合において、前屈した状態における指床距離を測定した結果を示す。指床距離は、前屈した際の床と指の先端との間の距離である。表２に示す値は、指が床よりも下方に位置している状態における、床と指の先端との間の距離である。
【００４５】
【表２】
2020092903.tif 000004
【００４６】
表２に示すように、実施例１では、矯正パッド１を上方に第１凸部１２が位置するようにして装着した場合、矯正パッド１を装着しない場合に比べて、前屈した際における指床距離が３ｃｍから１０ｃｍに増加した。また、実施例１では、矯正パッド１を下方に第１凸部１２が位置するようにして装着した場合、矯正パッド１を装着しない場合と同じく、前屈した際における指床距離が３ｃｍであって変化はしなかった。
【００４７】
実施例２では、矯正パッド１を上方に第１凸部１２が位置するようにして装着した場合、矯正パッド１を装着しない場合に比べて、前屈した際における指床距離が９ｃｍから１２ｃｍに増加した。また、実施例２では、矯正パッド１を下方に第１凸部１２が位置するようにして装着した場合、矯正パッド１を装着しない場合に比べて、前屈した際における指床距離が９ｃｍから４ｃｍに減少した。
【００４８】
このように、実施例１及び実施例２において、矯正パッド１を上方に第１凸部１２が位置するようにして装着した場合、矯正パッド１を装着しない場合に比べて、前屈した際における指床距離が増加した。すなわち、矯正パッド１を上方に第１凸部１２が位置するようにして装着した場合、矯正パッド１を装着しない場合に比べて、前屈した際の可動域が増加した。また、カウンターニューテーション型の仙腸関節障害に対しては、矯正パッド１を上下反転させた使用方法、すなわち、矯正パッド１を下方に第１凸部１２、上方に第２凸部１３が位置するようにして装着する方法が疼痛改善効果を予想できる。
【００４９】
［本実施形態に係る矯正パッド１による効果］
本実施形態に係る矯正パッド１は、仙腸関節Ｃを矯正するための矯正パッド１であって、可撓性を有する本体部１１と、本体部１１における一端側に形成された第１凸部１２と、を有する。そして、矯正パッド１は、本体部１１の長手方向における第１凸部１２が形成されていない領域の長さが、第１凸部１２が形成されている領域の長さよりも大きい。
【００５０】
本実施形態に係る矯正パッド１は、このように、本体部１１の長手方向における第１凸部１２が形成されていない領域の長さが、第１凸部１２が形成されている領域の長さよりも大きい。よって、矯正パッド１は、第１凸部１２を人体の仙骨Ａ又は仙腸関節Ｃに相当する腰Ｄに当接させた状態で、例えば、本体部１１における第１凸部１２が形成されていない領域を腰Ｄに当接させることができる。また、ユーザが、矯正パッド１を用いることで、例えばサポーターＥを巻き付けて矯正パッド１を仙骨Ａ又は仙腸関節Ｃに向かって押し当てる際に、本体部１１における第１凸部１２が形成されている領域に加えて、第１凸部１２が形成されていない領域にもサポーターＥを巻き付けることができる。
【００５１】
よって、例えば、矯正パッド１は、第１凸部１２が人体の仙骨Ａ又は仙腸関節Ｃに相当する腰Ｄに当接した状態でサポーターＥが巻き付けられた場合に、腰Ｄからずれづらくなる。この結果、矯正パッド１は、長時間にわたって仙腸関節Ｃを圧迫し易くなる。
【００５２】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００５３】
Ａ・・・仙骨
Ｂ・・・腸骨
Ｃ・・・仙腸関節
Ｄ・・・腰
Ｅ・・・サポーター
１・・・矯正パッド
１１・・・本体部
１２・・・第１凸部
１３・・・第２凸部
【図１】
2020092903.tif 000005
【図２】
2020092903.tif 000006
【図３】
2020092903.tif 000007
【図４】
2020092903.tif 000008
【図５】
2020092903.tif 000009
【図６】
2020092903.tif 000010
【図７】
2020092903.tif 000011
【図８】
2020092903.tif 000012
【図９】
2020092903.tif 000013